(57)【特許請求の範囲】
【請求項１】
無線通信ネットワークにおいて通信するための方法（３００）であって、前記方法は、アクセスノードにおいて、
タイミングインジケータを取得する（Ｓ３１０）ことと、
少なくとも１つの通信デバイスに第１のフレームシーケンス（５００；６００）を送信する（Ｓ３２０）ことであって、前記第１のフレームシーケンス（５００；６００）が、
第１の通信プロトコルに関連する第１のプリアンブル（５１０ａ；６１０ａ）を備える第１の部分（５１０；６１０）と、それに続く
前記第１の通信プロトコルに関連する第１のポーリングフレーム（５１５ａ；６１５ａ）を備える第２の部分（５１５；６１５）と、
第２の通信プロトコルに関連する、第２のプリアンブル（５２０ａ；６２０ａ）とそれに続く第２のポーリングフレーム（５２０ｂ；６２０ｂ）とを備える第３の部分（５２０；６２０）であって、前記第３の部分（５２０；６２０）が周波数領域中で前記第２の部分（５１５；６１５）と多重化される、第３の部分（５２０；６２０）と
を備える、第１のフレームシーケンス（５００；６００）を送信する（Ｓ３２０）ことと、
前記アクセスノードが前記少なくとも１つの通信デバイスからの後続の第２のフレームシーケンス（５５０；６５０）の第１の部分（５６０；６７０）の受信の時間（ｔａｄｊ）を制御することを可能にするために、前記少なくとも１つの通信デバイスに前記タイミングインジケータを提供する（Ｓ３３０）ことと、
前記第２のフレームシーケンス（５５０；６５０）の前記第１の部分（５６０；６７０）を受信する（Ｓ３４０）ことと
を含む方法（３００）。
【請求項２】
前記第１のフレームシーケンスの前記第２の部分（５１５；６１５）が前記第１のポーリングフレーム（５１５ａ；６１５ａ）からなる、請求項１に記載の方法。
【請求項３】
前記タイミングインジケータが前記第１のフレームシーケンス（５００；６００）内で提供される、請求項１または２に記載の方法。
【請求項４】
前記タイミングインジケータが、ＭＡＣヘッダ、制御フレームのペイロードまたは管理フレームのペイロードのうちの１つにおいて提供される、請求項１または２に記載の方法。
【請求項５】
前記少なくとも１つの通信デバイスの第１の通信デバイスから前記第２のフレームシーケンス（５５０；６５０）の前記第１の部分（５６０；６７０）を受信する（Ｓ３４０）ことであって、前記第２のフレームシーケンス（５５０；６５０）の前記第１の部分（５６０；６７０）が第３のプリアンブル（５６０ａ；６７０ａ）を備える、前記第２のフレームシーケンス（５５０；６５０）の前記第１の部分（５６０；６７０）を受信する（Ｓ３４０）ことをさらに含む、請求項１から４のいずれか一項に記載の方法。
【請求項６】
前記少なくとも１つの通信デバイスの第２の通信デバイスから第４のプリアンブル（５７０ａ；６６０ａ）を備える前記第２のフレームシーケンス（５５０；６５０）の第２の部分（５７０；６６０）を受信する（Ｓ３５０）ことであって、前記第２のフレームシーケンス（５５０；６５０）の前記第２の部分（５７０；６６０）の受信の時間（ｔｐｒｅ−ｃ）が事前設定された値によって制御される、前記第２のフレームシーケンス（５５０；６５０）の第２の部分（５７０；６６０）を受信する（Ｓ３５０）ことをさらに含む、請求項５に記載の方法。
【請求項７】
前記第２のフレームシーケンス（５５０）の前記第１の部分（５６０）が、前記第２のフレームシーケンス（５５０）の前記第２の部分（５７０）を受信する前に受信される、請求項６に記載の方法。
【請求項８】
前記第３のプリアンブル（５６０ａ）が前記第１の通信プロトコルに関連し、前記第４のプリアンブル（５７０ａ）が前記第２の通信プロトコルに関連する、請求項７に記載の方法。
【請求項９】
前記第２のフレームシーケンス（５５０）の前記第２の部分（５７０）がユーザデータ（５７０ｂ）を備える、請求項８に記載の方法。
【請求項１０】
前記第１の通信デバイスからユーザデータ（５６５ａ）を備える前記第２のフレームシーケンス（５５０）の第３の部分（５６５）を受信する（Ｓ３６０）ことであって、前記第２のフレームシーケンス（５５０）の前記第３の部分（５６５）が前記周波数領域中で前記第２のフレームシーケンス（５５０）の前記第２の部分（５７０）と多重化される、前記第２のフレームシーケンス（５５０）の第３の部分（５６５）を受信する（Ｓ３６０）ことをさらに含む、請求項７から９のいずれか一項に記載の方法。
【請求項１１】
前記第２のフレームシーケンス（６５０）の前記第１の部分（６７０）が、前記第２のフレームシーケンス（６５０）の前記第２の部分（６６０）を受信した後に受信される、請求項６に記載の方法。
【請求項１２】
前記第３のプリアンブル（６７０ａ）が前記第２の通信プロトコルに関連し、前記第４のプリアンブル（６６０ａ）が前記第１の通信プロトコルに関連する、請求項１１に記載の方法。
【請求項１３】
前記第２のフレームシーケンス（６５０）の前記第１の部分（６７０）がユーザデータ（６７０ｂ）を備える、請求項１２に記載の方法。
【請求項１４】
前記第２の通信デバイスから、ユーザデータ（６６５ａ）を備える前記第２のフレームシーケンス（６５０）の第３の部分（６６５）を受信する（Ｓ３６０）ことであって、前記第２のフレームシーケンス（６５０）の前記第３の部分（６６５）が前記周波数領域中で前記第２のフレームシーケンス（６５０）の前記第１の部分（６７０）と多重化される、前記第２のフレームシーケンス（６５０）の第３の部分（６６５）受信する（Ｓ３６０）ことをさらに含む、請求項１１から１３のいずれか一項に記載の方法。
【請求項１５】
無線通信ネットワークにおいて通信するための方法（４００）であって、前記方法は、通信デバイスにおいて、
アクセスノードから、第１のフレームシーケンス（５００；６００）を受信する（Ｓ４１０）ことであって、前記第１のフレームシーケンス（５００；６００）が、
第１の通信プロトコルに関連する第１のプリアンブル（５１０ａ；６１０ａ）を備える第１の部分（５１０；６１０）と、それに続く
前記第１の通信プロトコルに関連する第１のポーリングフレーム（５１５ａ；６１５ａ）を備える第２の部分（５１５；６１５）と、
第２の通信プロトコルに関連する、第２のプリアンブル（５２０ａ；６２０ａ）とそれに続く第２のポーリングフレーム（５２０ｂ；６２０ｂ）とを備える第３の部分（５２０；６２０）であって、前記第３の部分（５２０；６２０）が周波数領域中で前記第２の部分（５１５；６１５）と多重化される、第３の部分（５２０；６２０）と
を備える、第１のフレームシーケンス（５００；６００）を受信する（Ｓ４１０）ことと、
前記第１のフレームシーケンス（５００；６００）の前記第１の部分（５１０；６１０）および前記第３の部分（５２０；６２０）のうちの１つを復号する（Ｓ４２０）ことと、
前記アクセスノードからタイミングインジケータを取得する（Ｓ４３０）ことと、
前記タイミングインジケータに基づいて、後続の第２のフレームシーケンス（５５０；６５０）の第１の部分（５６０；６７０）の送信の時間を決定する（Ｓ４４０）ことと、
前記決定された時間に前記アクセスノードに前記第２のフレームシーケンス（５５０；６５０）の前記第１の部分（５６０；６７０）を送信する（Ｓ４５０）ことと
を含む方法（４００）。
【請求項１６】
前記タイミングインジケータを取得する（Ｓ４３０）ことが、前記第１のフレームシーケンス（５００；６００）から前記タイミングインジケータを抽出することを含む、請求項１５に記載の方法。
【請求項１７】
前記タイミングインジケータを取得する（Ｓ４３０）ことが、ＭＡＣヘッダ、制御フレームのペイロードまたは管理フレームのペイロードのうちの１つから前記タイミングインジケータを抽出することを含む、請求項１５に記載の方法。
【請求項１８】
前記第２のフレームシーケンス（５５０；６５０）の前記第１の部分（５６０；６７０）が第３のプリアンブル（５６０ａ；６７０ａ）を備える、請求項１５から１７のいずれか一項に記載の方法。
【請求項１９】
前記第１のフレームシーケンス（５００）の前記第１の部分（５１０）を復号する（Ｓ４２０）ことを含み、前記第３のプリアンブル（５６０ａ）が前記第１の通信プロトコルに関連する、請求項１８に記載の方法。
【請求項２０】
前記第１のフレームシーケンス（６００）の前記第３の部分（６２０）を復号する（Ｓ４２０）ことを含み、前記第３のプリアンブル（６７０ａ）が前記第２の通信プロトコルに関連する、請求項１８に記載の方法。
【請求項２１】
無線通信ネットワークにおいて通信するためのアクセスノード（１０）であって、前記アクセスノードは、
タイミングインジケータを取得することと、
少なくとも１つの通信デバイス（１１）に第１のフレームシーケンスを送信することであって、前記第１のフレームシーケンスが、
第１の通信プロトコルに関連する第１のプリアンブルを備える第１の部分と、それに続く
前記第１の通信プロトコルに関連する第１のポーリングフレームを備える第２の部分と、
第２の通信プロトコルに関連する、第２のプリアンブルとそれに続く第２のポーリングフレームとを備える第３の部分であって、前記第３の部分が周波数領域中で前記第２の部分と多重化される、第３の部分と
を備える、第１のフレームシーケンスを送信することと、
前記アクセスノード（１０）が前記少なくとも１つの通信デバイス（１１）からの第２のフレームシーケンスの第１の部分の受信の時間を制御することを可能にするために、前記少なくとも１つの通信デバイス（１１）に前記タイミングインジケータを提供することと、
前記第２のフレームシーケンスの前記第１の部分を受信することと
を行うように設定された、アクセスノード（１０）。
【請求項２２】
無線通信ネットワークにおいて通信するための通信デバイス（１１）であって、前記通信デバイスは、
アクセスノード（１０）から、第１のフレームシーケンスを受信することであって、
第１の通信プロトコルに関連する第１のプリアンブルを備える第１の部分と、それに続く
前記第１の通信プロトコルに関連する第１のポーリングフレームを備える第２の部分と、
第２の通信プロトコルに関連する、第２のプリアンブルとそれに続く第２のポーリングフレームを備える第３の部分であって、前記第３の部分が周波数領域中で前記第２の部分と多重化される、第３の部分と
を備える、第１のフレームシーケンスを受信することと、
前記第１のフレームシーケンスの前記第１の部分および前記第２の部分のうちの１つを復号することと、
前記アクセスノードからタイミングインジケータを取得することと、
前記タイミングインジケータに基づいて、第２のフレームシーケンスの第１の部分の送信の時間を決定することと、
前記決定された時間に前記アクセスノードに前記第２のフレームシーケンスの前記第１の部分を送信することと
を行うように設定された、通信デバイス（１１）。
【発明の詳細な説明】
【技術分野】
【０００１】
本明細書の実施形態は、アクセスノード、通信デバイス、および通信のためにその中で実行される方法に関する。さらに、コンピュータプログラム、コンピュータプログラム製品、およびキャリアも本明細書で提供される。特に、本明細書の実施形態は、無線通信ネットワークにおいて通信することに関する。
【背景技術】
【０００２】
無線ローカルエリアネットワーク（ＷＬＡＮ）は、典型的には最高１００ｍの範囲を有し、一般に無認可帯域幅スペクトルを使用する。ＩＥＥＥ８０２．１１ワーキンググループはＷＬＡＮ規格を開発することを担当し、１９９７年のレガシー８０２．１１プロトコル規格の最初のリリース以来、発展しつつある技法とさらに変化するユーザ需要とに適応するために、これまで約１０個の規格を作成した。
【０００３】
ＩＥＥＥは、既存のプロトコルよりも著しく高い送信レートを提供する、ＩＥＥＥ８０２．１１ａｘ規格を現在開発している。高効率（ＨＥ）物理プロトコルデータユニット（ＰＰＤＵ）が、後方互換性の理由でレガシープロトコル８０２．１１ｎ／ａｃ／ｂのプリアンブルを含むものとすることが承認されている。ＩＥＥＥ８０２．１１ａｘは２．４および５ＧＨｚ周波数帯域において動作する。モノのインターネット（ＩｏＴ）使用事例をサポートするために、たとえば、狭帯域動作およびまたより多くの省電力化機能を可能にすることによって、さらなる開発が必要である。
【０００４】
長距離低電力（ＬＲＬＰ）ＷｉＦｉは、２．４ＧＨｚ帯域内で動作する、インターネットおよびクラウドサービスへの信頼できる、一貫した、安定したアクセスのためにマスマーケットＷＬＡＮインフラストラクチャを活用する目的で、マシンツーマシン（Ｍ２Ｍ）ＩｏＴ、エネルギー管理、およびセンサアプリケーションの特定のニーズに対処する、ＩＥＥＥ８０２．１１ワーキンググループ内で新しいトピックインタレストグループとして開始された。
【０００５】
新しい通信プロトコルの開発の結果、必然的に、異なるプロトコルをサポートするデバイスの混合が展開されることになる。通信ネットワークにおいて無線で送信するデバイスの数が増加するにつれて、利用可能な帯域幅の効率的な使用を可能にする通信の方法が必要である。
【発明の概要】
【０００６】
本明細書の実施形態の目的は、通信ネットワークの効率を改善するための機構を提供することである。
【０００７】
この目的および他の目的は、本明細書で開示する１つまたは複数の実施形態によって満たされる。
【０００８】
第１の態様によれば、無線通信ネットワークにおいて通信するための方法が提供される。本方法は、アクセスノードによって実行され、タイミングインジケータを取得することを含む。さらなるアクションにおいて、本方法は、少なくとも１つの通信デバイスに第１のフレームシーケンスを送信することを含む。第１のフレームシーケンスは、第１の部分と、第２の部分と、第３の部分とを備える。第１の部分は、第１の通信プロトコルに関連する第１のプリアンブルを備える。第１の部分の後ろには、第１の通信プロトコルに関連する第１のポーリングフレームを備える第２の部分が続く。第１の部分の後ろにはまた、第２のプリアンブルとそれに続く第２のポーリングフレームとを備える第３の部分が続く。第２のプリアンブルおよび第２のポーリングフレームは第２の通信プロトコルに関連する。第３の部分および第２の部分は周波数領域中で多重化される。本方法はまた、アクセスノードが少なくとも１つの通信デバイスから後続の第２のフレームシーケンスの第１の部分の受信の時間を制御することを可能にするために、少なくとも１つの通信デバイスに取得されたタイミングインジケータを提供することを含む。本方法はまた、第２のフレームシーケンスの第１の部分を受信することを含む。
【０００９】
第２の態様によれば、無線通信ネットワークにおいて通信するための方法が提供される。本方法は、通信デバイスによって実行され、アクセスノードから第１のフレームシーケンスを受信することを含む。フレームシーケンスは、第１の部分と、第２の部分と、第３の部分とを備える。第１の部分は、第１の通信プロトコルに関連する第１のプリアンブルを備える。第１の部分の後ろには、第１の通信プロトコルに関連する第１のポーリングフレームを備える第２の部分が続く。第１の部分の後ろにはまた、第２のプリアンブルとそれに続く第２のポーリングフレームとを備える第３の部分が続く。第２のプリアンブルおよび第２のポーリングフレームは第２の通信プロトコルに関連する。第３の部分は周波数領域中で第２の部分と多重化される。本方法はまた、第１のフレームシーケンスの第１の部分および第３の部分のうちの１つを復号することを含む。本方法はまた、アクセスノードからタイミングインジケータを取得することを含む。本方法はまた、タイミングインジケータに基づいて後続の第２のフレームシーケンスの第１の部分の送信の時間を決定することと、決定された時間にアクセスノードに第２のフレームシーケンスの第１の部分を送信することとを含む。
【００１０】
第３の態様によれば、無線通信ネットワークにおいて通信するためのアクセスノードが提供される。アクセスノードは、タイミングインジケータを取得し、少なくとも１つの通信デバイスに第１のフレームシーケンスを送信するように設定される。フレームシーケンスは、第１の部分と、第２の部分と、第３の部分とを備える。第１の部分は、第１の通信プロトコルに関連する第１のプリアンブルを備える。第１の部分の後ろには、第１の通信プロトコルに関連する第１のポーリングフレームを備える第２の部分が続く。第１の部分の後ろにはまた、第２のプリアンブルとそれに続く第２のポーリングフレームとを備える第３の部分が続く。第２のプリアンブルおよび第２のポーリングフレームは第２の通信プロトコルに関連する。第３の部分は周波数領域中で第２の部分と多重化される。アクセスノードはまた、アクセスノードが少なくとも１つの通信デバイスから第２のフレームシーケンスの第１の部分の受信の時間を制御することを可能にするために、少なくとも１つの通信デバイスにタイミングインジケータを提供するように設定される。アクセスノードはまた、第２のフレームシーケンスの第１の部分を受信するように設定される。
【００１１】
第４の態様によれば、無線通信ネットワークにおいて通信するための通信デバイスが提供される。通信デバイスは、アクセスノードから第１のフレームシーケンスを受信するように設定される。第１のフレームシーケンスは、第１の部分と、第２の部分と、第３の部分とを備える。第１の部分は、第１の通信プロトコルに関連する第１のプリアンブルを備え、第１の部分の後ろには、第１の通信プロトコルに関連する第１のポーリングフレームを備える第２の部分が続く。第１の部分の後ろにはまた、第２のプリアンブルとそれに続く第２のポーリングフレームとを備える第３の部分が続く。第２のプリアンブルおよび第２のポーリングフレームは第２の通信プロトコルに関連する。第３の部分は周波数領域中で第２の部分と多重化される。通信デバイスはまた、第１のフレームシーケンスの第１の部分および第２の部分のうちの１つを復号するように設定される。通信デバイスはまた、アクセスノードからタイミングインジケータを取得するように設定される。通信デバイスはまた、タイミングインジケータに基づいて第２のフレームシーケンスの第１の部分の送信の時間を決定し、決定された時間にアクセスノードに第２のフレームシーケンスの第１の部分を送信するように設定される。
【００１２】
第５の態様によれば、無線通信ネットワークにおいて通信するためのアクセスノードが提供される。アクセスノードは、タイミングインジケータを取得するための取得モジュールと、少なくとも１つの通信デバイスに第１のフレームシーケンスを送信するための送信モジュールとを備える。フレームシーケンスは、第１の部分と、第２の部分と、第３の部分とを備える。第１の部分は、第１の通信プロトコルに関連する第１のプリアンブルを備える。第１の部分の後ろには、第１の通信プロトコルに関連する第１のポーリングフレームを備える第２の部分が続く。第１の部分の後ろにはまた、第２のプリアンブルとそれに続く第２のポーリングフレームとを備える第３の部分が続く。第２のプリアンブルおよび第２のポーリングフレームは第２の通信プロトコルに関連する。第３の部分は周波数領域中で第２の部分と多重化される。アクセスノードはまた、アクセスノードが少なくとも１つの通信デバイスから第２のフレームシーケンスの第１の部分の受信の時間を制御することを可能にするために、少なくとも１つの通信デバイスにタイミングインジケータを提供するための提供モジュールを備える。アクセスノードはまた、第２のフレームシーケンスの第１の部分を受信するための受信モジュールを備える。
【００１３】
第６の態様によれば、無線通信ネットワークにおいて通信するための通信デバイスが提供される。通信デバイスは、アクセスノードから第１のフレームシーケンスを受信するための受信モジュールを備える。第１のフレームシーケンスは、第１の部分と、第２の部分と、第３の部分とを備える。第１の部分は、第１の通信プロトコルに関連する第１のプリアンブルを備え、第１の部分の後ろには、第１の通信プロトコルに関連する第１のポーリングフレームを備える第２の部分が続く。第１の部分の後ろにはまた、第２のプリアンブルとそれに続く第２のポーリングフレームとを備える第３の部分が続く。第２のプリアンブルおよび第２のポーリングフレームは第２の通信プロトコルに関連する。第３の部分は周波数領域中で第２の部分と多重化される。通信デバイスはまた、第１のフレームシーケンスの第１の部分および第２の部分のうちの１つを復号するための復号モジュールを備える。通信デバイスはまた、アクセスノードからタイミングインジケータを取得するための取得モジュールを備える。通信デバイスはまた、タイミングインジケータに基づいて第２のフレームシーケンスの第１の部分の送信の時間を決定し、決定された時間にアクセスノードに第２のフレームシーケンスの第１の部分を送信するための決定モジュールを備える。
【００１４】
第７の態様によれば、少なくとも１つのプロセッサ上で実行されたとき、プロセッサに第１の態様および第２の態様のいずれかによる対応する方法を実行させる命令を備えるコンピュータプログラムが提供される。
【００１５】
第８の態様によれば、第７の態様のコンピュータプログラムを記憶したコンピュータ可読媒体を備えるコンピュータプログラム製品が提供される。
【００１６】
第９の態様によれば、第７の態様によるコンピュータプログラムを備えるキャリアが提供される。キャリアは、電子信号、光信号、電磁信号、磁気信号、電気信号、無線信号、マイクロ波信号、またはコンピュータ可読記憶媒体のうちの１つである。
【００１７】
本明細書で開示されるのは、たとえばモノのインターネットにおいてデバイスと無線で通信するためのパフォーマンスを改善する方法である。本方法は、ネットワーク帯域幅、および、たとえば制約されたネットワークの限られたリソースをより効率的に使用することを可能にする。特に、本明細書の実施形態は、周波数領域中で多重化され、不要なパディングを回避する、異なる通信プロトコルに関連する部分を備えるフレームシーケンスを送信することに関する。本明細書の実施形態は、したがって、アクセスノードから通信デバイスへの通信があまり干渉を受けないことを可能にし、周波数スペクトルのより効率的な使用およびメッセージの低減された再送などの利点を与える。これは、通信ネットワークにおける通信の効率的な処理につながり、その結果、さらに、たとえば、通信ネットワークのパフォーマンスが改善され、通信ネットワークのデバイスおよびノードの電力消費が低下し得る。
【００１８】
以下で、図面を参照しながら、本開示の実施形態および例示的な態様についてより詳細に説明する。
【図面の簡単な説明】
【００１９】
【図１】本明細書のいくつかの実施形態による、無線通信ネットワークを示す概観図である。
【図２】本明細書のいくつかの実施形態による、組み合わせられたフローチャートおよびシグナリング方式を示す図である。
【図３】本明細書のいくつかの実施形態による、アクセスノードによって実行される方法を示すフローチャートである。
【図４】本明細書の特定の実施形態による、通信デバイスによって実行される方法を示すフローチャートである。
【図５】本明細書の一実施形態による、ダウンリンク方向およびアップリンク方向における送信のためのフレームシーケンスを示す図である。
【図６】本明細書の別の実施形態による、ダウンリンク方向およびアップリンク方向における送信のためのさらなるフレームシーケンスを示す図である。
【図７ａ】本明細書のいくつかの実施形態を実装するためのアクセスノードおよび手段を概略的に示す図である。
【図７ｂ】本明細書の一実施形態によるコンピュータ可読手段を備えるコンピュータプログラム製品の例を概略的に示す図である。
【図７ｃ】本明細書の実施形態を実装するための機能モジュール／ソフトウェアを備えるアクセスノードを概略的に示す図である。
【図８ａ】本明細書の方法のいくつかの実施形態を実装するための通信デバイスおよび手段を概略的に示す図である。
【図８ｂ】本明細書の一実施形態によるコンピュータ可読手段を備えるコンピュータプログラム製品の例を概略的に示す図である。
【図８ｃ】本明細書の実施形態を実装するための機能モジュール／ソフトウェアモジュールを備える通信デバイスを概略的に示す図である。
【発明を実施するための形態】
【００２０】
次に、発明的概念のいくつかの実施形態が示されている添付の図面を参照しながら、発明的概念について以下でより十分に説明する。この発明的概念は、しかしながら、多くの異なる形式で実施され得、本明細書に記載された実施形態に限定されると解釈されるべきではない。むしろ、これらの実施形態は、本開示が徹底的で完全であり、発明的概念の範囲を当業者に十分に伝達するように、例として与えられる。同様の番号は説明全体にわたって同様の要素を指す。一点鎖線によって示されたいかなるステップまたは特徴も随意と見なされるべきである。
【００２１】
以下の説明では、本開示の一態様に対して与えられた説明は、相応して他の態様に適用される。
【００２２】
図１は、本教示による実施形態が実装され得る無線通信ネットワーク１を示す概観である。通信ネットワーク１は、ほんのいくつかの可能な実装形態を挙げると、Ｗｉ−Ｆｉ、Ｂｌｕｅｔｏｏｔｈ  Ｌｏｗ  Ｅｎｅｒｇｙ、ＺｉｇＢｅｅ、ＬｏＲＡなど、いくつかの異なる技術を使用し得る。
【００２３】
通信ネットワーク１は、無線ローカルエリアネットワーク（ＷＬＡＮ）アクセスポイント、スタンドアロンアクセスポイント、またはサービスエリア１２内の通信デバイス１１ａ、１１ｂ、１１ｃに通信ネットワーク１へのアクセスを与えることが可能な他のネットワークユニットなど、アクセスノード１０を備える。通信ネットワーク１は、図１に示されていない追加の構成要素を備えることが諒解されよう。
【００２４】
サービスエリア１２において、通信デバイス１１ａ、１１ｂ、１１ｃ、たとえば、Ｍ２Ｍデバイス、無線デバイス、ユーザ機器および／または無線端末などの通信デバイスは、互いにまたは通信ネットワーク１と通信する。「通信デバイス」は、端末、通信端末、ユーザ機器、マシンタイプ通信（ＭＴＣ）デバイス、デバイス間（Ｄ２Ｄ）端末、またはノード、たとえば、スマートフォン、ラップトップ、モバイルフォン、センサ、リレー、モバイルタブレット、またはサービスエリア１２内で通信している任意のデバイスを意味する、非限定的な用語であることを当業者によって理解されるべきである。通信デバイスは第１のエンドポイントまたはクライアントと呼ばれることがある。
【００２５】
上記で説明したように、通信デバイス１１ａ、１１ｂ、１１ｃは、１つは、明らかに、２つ以上の通信プロトコルを復号する能力である、いくつかの要求をアクセスノード１０に課す、より古いまたはより最近の通信プロトコルを使用し得る。
【００２６】
本明細書の実施形態は、たとえばデュアルモードアクセスノード１０のフレームシーケンスの送信および受信を処理することに関する。本明細書の実施形態は、シーケンス中のフレームの部分がネットワークリソースの効率的な使用のための様式で多重化され得ることを可能にする。
【００２７】
特定の実施形態では、通信デバイスは、本明細書では、ネットワークノードおよび／または他の無線デバイスと無線で通信することが可能であり、そのように設定された、構成されたおよび／または動作可能なデバイスを指す、無線デバイス（ＷＤ）である。無線で通信することは、電磁信号、電波、赤外線信号、および／または空気を介して情報を伝達するのに好適な他のタイプの信号を使用して、無線信号を送信することおよび／または受信することを伴い得る。
【００２８】
いくつかの実施形態では、ＷＤは、直接の人間対話なしに情報を送信および／または受信するように設定され得る。たとえば、ＷＤは、内部または外部イベントによってトリガされたとき、またはネットワークからの要求に応答して、所定のスケジュールでネットワークに情報を送信するように設計され得る。ＷＤの例は、限定はしないが、ユーザ機器（ＵＥ）、スマートフォン、モバイルフォン、セルフォン、ボイスオーバーＩＰ（ＶｏＩＰ）フォン、無線ローカルループフォン、デスクトップコンピュータ、携帯情報端末（ＰＤＡ）、無線カメラ、ゲーミング端末デバイス、音楽ストレージ、再生アプライアンス、ウェアラブル端末デバイス、無線エンドポイント、移動局、タブレット、ラップトップ、ラップトップ埋込み機器（ＬＥＥ）、ラップトップ搭載機器（ＬＭＥ）、スマートデバイス、無線顧客構内機器（ＣＰＥ）および車載無線端末デバイスを含む。ＷＤは、たとえばサイドリンク通信のための３ＧＰＰ規格を実装することによって、デバイス間（Ｄ２Ｄ）通信をサポートし得、この場合、Ｄ２Ｄ通信デバイスと呼ばれ得る。また別の具体例として、モノのインターネット（ＩｏＴ）シナリオにおいて、ＷＤは、監視および／または測定を実行し、そのような監視および／または測定の結果を別のＷＤおよび／またはネットワークノードに送信する、機械または他のデバイスを表し得る。ＷＤは、この場合、３ＧＰＰコンテキストではマシンタイプ通信（ＭＴＣ）デバイスと呼ばれ得る、マシン間（Ｍ２Ｍ）デバイスであり得る。１つの特定の例として、ＷＤは、３ＧＰＰ狭帯域モノのインターネット（ＮＢ−ＩｏＴ）規格を実装するＵＥであり得る。そのような機械またはデバイスの特定の例は、センサ、電力メータなどの計量デバイス、工業機械、あるいはホームまたはパーソナルアプライアンス（たとえば冷蔵庫、テレビジョンなど）パーソナルウェアラブル（たとえば、時計、フィットネストラッカーなど）である。他のシナリオでは、ＷＤは、それの動作ステータスまたはそれの動作に関連する他の機能に関する監視および／または報告が可能である車両または他の機器を表し得る。上記で説明したようなＷＤは無線接続のエンドポイントを表し得、その場合、デバイスは無線端末と呼ばれることがある。さらに、上記で説明したようなＷＤはモバイルであり得、その場合、デバイスはモバイルデバイスまたはモバイル端末と呼ばれることもある。
【００２９】
図２は、本明細書の実施形態による組み合わせられたシグナリング方式およびフローチャートである。アクションＳ２０１において、アクセスノード１０、たとえば無線ルータは、タイミングインジケータを取得する。タイミングインジケータは、以下で説明するように異なる手段によって取得され得る。アクションＳ２０２において、アクセスノード１０は第１のフレームシーケンスを送る。アクションＳ２０１において取得されたタイミングインジケータは、アクションＳ２０３において通信デバイスに提供される。インジケータは、たとえば、フレームシーケンス中に含まれ得るか、または他の方法で提供され得る。アクションＳ２０４において、通信デバイス１１は、アクセスノード１０から送信された第１のフレームシーケンス中に備えられた部分を復号する。通信デバイスはまた、アクションＳ２０３においてアクセスノードによって提供されたタイミングインジケータをアクションＳ２０５において取得し、アクションＳ２０７においてアクセスノードに送信される、後続の第２のフレームシーケンスの第１のフレーム部分の送信の時間をアクションＳ２０６において決定する。
【００３０】
次に、アクセスノード１０中で実行されるいくつかの実施形態による本方法についてより詳細に説明する。図３を参照すると、アクションＳ３１０において、アクセスノード１０、たとえば無線ルータはタイミングインジケータを取得する。タイミングインジケータは、たとえば、プリアンブルのサイズ、ポーリングフレーム、および／または送信されるべきデータに基づいて、フレーム間スペース（ＩＦＳ）を計算することによって取得され得る。アクションＳ３２０において、アクセスノード１０は第１のフレームシーケンス５００；６００（図５および図６を参照）を送る。第１のフレームシーケンスは、第１の部分５１０；６１０と、第２の部分５１５；６１５と、第３の部分５２０；６２０とを備える。第１の部分５１０；６１０は、第１の通信プロトコルに関連する第１のプリアンブル５１０ａ；６１０ａを備える。この第１の部分の後ろには第２の部分および第３の部分が続く。第２の部分５１５；６１５は、第１の通信プロトコルに関連する第１のポーリングフレーム５１５ａ；６１５ａを備える。第１のフレームシーケンスの第３の部分５２０；６２０は、両方とも第２の通信プロトコルに関連する、第２のプリアンブル５２０ａ；６２０ａと、それに続く第２のポーリングフレーム５２０ｂ；６２０ｂとを備える。さらに、第３の部分５２０；６２０は、周波数領域中で第２の部分５１５；６１５と多重化される。本方法はまた、アクセスノードが少なくとも１つの通信デバイスから後続の第２のフレームシーケンス５５０；６５０の第１の部分５６０；６７０の受信ｔａｄｊの時間を制御することを可能にするために、アクションＳ３３０においてタイミングインジケータを少なくとも１つの通信デバイスに提供することを含む。アクションＳ３４０において、アクセスノードは第２のフレームシーケンス５５０；６５０の第１の部分５６０；６７０を受信する。
【００３１】
本方法の一実施形態では、第１のフレームシーケンスの第２の部分５１５；６１５は第１のポーリングフレーム５１５ａ；６１５ａからなる。
【００３２】
本方法のさらなる実施形態では、タイミングインジケータは第１のフレームシーケンス５００；６００内で提供される。タイミングインジケータは、たとえば、ＭＡＣヘッダ中で提供され得る。
【００３３】
代替実施形態では、タイミングインジケータは、制御フレームのペイロード、または管理フレームのペイロードのうちの１つの中で提供される。すなわち、タイミングインジケータは第１のフレームシーケンス中で提供される必要はない。
【００３４】
いくつかの実施形態では、タイミングインジケータは、たとえば、いくつかの事前インデックス付けされた持続時間のうちの１つを示すための持続時間またはインデックス値であり得る。
【００３５】
本方法は、いくつかの実施形態では、アクションＳ３４０において、少なくとも１つの通信デバイスの第１の通信デバイスから第２のフレームシーケンス５５０；６５０の前記第１の部分５６０；６７０と、第３のプリアンブル５６０ａ；６７０ａを備える第２のフレームシーケンス５５０；６５０の第１の部分５６０；６７０とを受信することをさらに含み得る。本方法は、この場合、少なくとも１つの通信デバイスの第２の通信デバイスからの第４のプリアンブル５７０ａ；６６０ａを備える第２のフレームシーケンス５５０；６５０の第２の部分５７０；６６０を受信するアクションＳ３５０をさらに含み得、第２のフレームシーケンス５５０；６５０の第２の部分５７０；６６０の受信ｔｐｒｅ−ｃの時間は事前設定された値によって制御される。
【００３６】
次に、特に図５の第２のフレーム構造５５０を参照しながら、さらなる実施形態について説明する。第２のフレームシーケンス５５０の第１の部分５６０は、第２のフレームシーケンス５５０の第２の部分５７０を受信する前に受信され得る。さらに、第３のプリアンブル５６０ａは第１の通信プロトコルに関連し得、第４のプリアンブル５７０ａは第２の通信プロトコルに関連し得る。本方法は、第２のフレームシーケンス５５０の第２の部分５７０がユーザデータ５７０ｂを備えることをさらに含み得る。本方法は、第１の通信デバイスからユーザデータ５６５ａを備える第２のフレームシーケンス５５０の第３の部分５６５を受信するアクションＳ３６０をさらに含み得、第２のフレームシーケンス５５０の第３の部分５６５は周波数領域中で第２のフレームシーケンス（５５０）の第２の部分５７０と多重化される。
【００３７】
次に、特に図６の第２のフレーム構造を参照しながら、さらなる実施形態について説明する。第２のフレームシーケンス６５０の第１の部分６７０は、第２のフレームシーケンス６５０の第２の部分６６０を受信した後に受信され得る。この場合、第３のプリアンブル６７０ａは第２の通信プロトコルに関連し得、第４のプリアンブル６６０ａは第１の通信プロトコルに関連する。さらに、本方法は、次いで、第２のフレームシーケンス６５０の第１の部分６７０がユーザデータ６７０ｂを備えることを含む。本方法はまた、第２の通信デバイスからユーザデータ６６５ａを備える第２のフレームシーケンス６５０の第３の部分６６５を受信するアクションＳ３６０をさらに含み得、第２のフレームシーケンス６５０の第３の部分６６５は周波数領域中で第２のフレームシーケンス６５０の第１の部分６７０と多重化される。
【００３８】
次に、図４に示されたフローチャートを参照しながら、通信デバイス１１中で実行されるいくつかの実施形態による方法についてより詳細に説明する。無線通信ネットワークにおいて通信するための方法４００は、アクションＳ４１０において、アクセスノードから第１のフレームシーケンス５００；６００を受信することを含む。第１のフレームシーケンス５００；６００は、第１の通信プロトコルに関連する第１のプリアンブル５１０ａ；６１０ａを備える第１の部分５１０；６１０を備える。第１の部分の後ろには、第１の通信プロトコルに関連する第１のポーリングフレーム５１５ａ；６１５ａを備える第２の部分５１５；６１５と、第２の通信プロトコルに関連する、第２のプリアンブル５２０ａ；６２０ａと、それに続く第２のポーリングフレーム５２０ｂ；６２０ｂとを備える第３の部分５２０；６２０が続く。第３の部分５２０；６２０は周波数領域中で第２の部分５１５；６１５と多重化される。アクションＳ４２０において、本方法は、第１のフレームシーケンス５００；６００の第１の部分５１０；６１０および第３の部分５２０；６２０のうちの１つを復号することを含む。アクションＳ４３０において、アクセスノード１０からタイミングインジケータを取得する。アクションＳ４４０は、タイミングインジケータに基づいて、後続の第２のフレームシーケンス５５０；６５０の第１の部分５６０；６７０の送信の時間を決定することを含む。アクションＳ４５０において、通信デバイスは、決定された時間にアクセスノードに第２のフレームシーケンス５５０；６５０の第１の部分５６０；６７０を送信する。
【００３９】
本方法のある実施形態では、アクションＳ４３０において、タイミングインジケータを取得することは、第１のフレームシーケンス５００；６００からタイミングインジケータを抽出することを含む。タイミングインジケータは、たとえば、ＭＡＣヘッダ中で提供され得る。
【００４０】
代替実施形態では、アクションＳ４３０において、タイミングインジケータを取得することは、制御フレームのペイロードまたは管理フレームのペイロードのうちの１つからタイミングインジケータを抽出することを含む。
【００４１】
いくつかの実施形態では、特に、図５におけるフレームシーケンスに関して、通信デバイスにおける方法は、第２のフレームシーケンス５５０；６５０の第１の部分５６０；６７０が第３のプリアンブル５６０ａ；６７０ａを備えることを含む。本方法は、次いで、アクションＳ４２０において、第１のフレームシーケンス５００の第１の部分５１０を復号することをさらに含み得、第３のプリアンブル５６０ａは第１の通信プロトコルに関連する。
【００４２】
いくつかの実施形態では、特に図６におけるフレームシーケンスに関して、本方法のアクションＳ４２０は、第１のフレームシーケンス６００の第３の部分６２０を復号することを含み、第３のプリアンブル６７０ａは第２の通信プロトコルに関連する。
【００４３】
図７ａは、一実施形態による、機能ユニット、アクセスノード１０の構成要素に関して、コンピュータ実装の例を示す概略図である。少なくとも１つのプロセッサ７１０は、アクセスノード１０中に備えられたメモリ７２０中に記憶されたソフトウェア命令を実行することが可能な、好適な中央処理ユニット（ＣＰＵ）、マルチプロセッサ、マイクロコントローラ、デジタル信号プロセッサ（ＤＳＰ）などのうちの１つまたは複数の任意の組合せを使用して提供される。少なくとも１つのプロセッサ７１０はさらに、少なくとも１つの特定用途向け集積回路（ＡＳＩＣ）、またはフィールドプログラマブルゲートアレイ（ＦＰＧＡ）として提供され得る。
【００４４】
特に、少なくとも１つのプロセッサは、上記で開示したように、アクセスノード１０に動作またはアクションのセットＳ３１０〜Ｓ３４０を実行させるように設定される。たとえば、メモリ７２０は動作７２５のセットを記憶し得、少なくとも１つのプロセッサ７１０は、アクセスノード１０に動作のセットを実行させるために、メモリ７２０から動作７２５のセットを取り出すように設定され得る。動作のセットは実行可能な命令のセットとして提供され得る。したがって、少なくとも１つのプロセッサ７１０は、それによって、本明細書で開示した方法を実行するように構成される。
【００４５】
メモリ７２０はまた、たとえば、磁気メモリ、光メモリ、固体メモリまたはさらにはリモート実装メモリの単一のものまたは組合せであり得る、永続ストレージ７２７を備え得る。
【００４６】
アクセスノード１０は、（たとえば図８ａにおけるような）通信デバイス１１との通信のための入出力デバイス７３０をさらに備え得る。したがって、入出力デバイス７３０は、アナログおよびデジタル構成要素と、無線通信のための好適な数のアンテナと、ワイヤライン通信のためのポートとを備える、１つまたは複数の送信機と受信機とを備え得る。
【００４７】
少なくとも１つのプロセッサ７１０は、たとえば、入出力デバイス７３０およびメモリ７２０にデータおよび制御信号を送ることによって、入出力デバイス７３０からデータおよび報告を受信することによって、およびメモリ７２０からデータおよび命令を取り出すことによって、アクセスノード１０の一般的な動作を制御する。アクセスノード１０の他の構成要素ならびに関係する機能は、本明細書で提示される概念を不明瞭にしないために省略される。
【００４８】
この特定の例では、本明細書で説明するステップ、機能、プロシージャ、モジュールおよび／またはブロックのうちの少なくともいくつかは、１つまたは複数のプロセッサ７１０を含む処理回路による実行のためにメモリ７２０中にロードされるコンピュータプログラム７４７中に実装される。メモリ７２０は、コンピュータプログラム７４７を、収容するまたは記憶するなど、備え得る。プロセッサ７１０およびメモリ７２０は、正常なソフトウェア実行を可能にするために互いに相互接続される。入出力デバイス７３０はまた、データならびに／あるいは信号の入力および／または出力を可能にするためにプロセッサ７１０および／またはメモリ７２０に相互接続される。
【００４９】
用語「プロセッサ」は、一般的な意味で、特定の処理、決定または計算タスクを実行するためにプログラムコードまたはコンピュータプログラム命令を実行することが可能なシステムまたはデバイスと解釈されるべきである。
【００５０】
処理回路は、上記で説明したステップ、機能、プロシージャおよび／またはブロックを実行するためにのみ専用である必要はなく、他のタスクをも実行し得る。
【００５１】
図７ｂは、コンピュータ可読記憶媒体７４５、特に不揮発性媒体を備えるコンピュータプログラム製品７４０の一例を示す。このコンピュータ可読記憶媒体７４５上に、コンピュータプログラム７４７が搬送または記憶され得る。コンピュータプログラム７４７は、少なくとも１つのプロセッサ７１０を含む処理回路と、入出力デバイス７３０およびメモリ７２０など、それに動作可能に結合されたエンティティおよびデバイスとに、本明細書で説明する実施形態による方法を実行させることができる。コンピュータプログラム７４７および／またはコンピュータプログラム製品７４０は、したがって、本明細書で開示したようにアクセスノード１０のいかなるアクションをも実行するための手段を提供し得る。
【００５２】
本明細書で提示される１つまたは複数のフロー図は、１つまたは複数のプロセッサによって実行されるとき、１つまたは複数のコンピュータフロー図と見なされ得る。対応する装置は機能モジュールのグループとして規定され得、プロセッサ７１０によって実行される各ステップは機能モジュールに対応する。この場合、機能モジュールは、プロセッサ７１０上で動作しているコンピュータプログラムとして実装される。
【００５３】
メモリ７２０中に常駐するコンピュータプログラムは、したがって、プロセッサ７１０によって実行されたとき、本明細書で説明するステップおよび／またはタスクの少なくとも一部を実行するように設定された適切な機能モジュールとして編成され得る。
【００５４】
図７ｃは、いくつかの機能モジュールに関して、アクセスノード１０の実施形態を示す概略図である。アクセスノード１０は、
タイミングインジケータを取得するための取得モジュール７５０と、
少なくとも１つの通信デバイス１１に第１のフレームシーケンスを送信するための送信モジュール７６０であって、第１のフレームシーケンスが、
第１の通信プロトコルに関連する第１のプリアンブルを備える第１の部分と、それに続く、
第１の通信プロトコルに関連する第１のポーリングフレームを備える第２の部分と、
第２の通信プロトコルに関連する、第２のプリアンブルとそれに続く第２のポーリングフレームとを備える第３の部分であって、前記第３の部分が周波数領域中で第２の部分と多重化される、第３の部分とを備える、送信モジュール７６０と、
アクセスノード１０が少なくとも１つの通信デバイス１１からの第２のフレームシーケンスの第１の部分の受信の時間を制御することを可能にするために、少なくとも１つの通信デバイス１１にタイミングインジケータを提供するための提供モジュール７７０と、
第２のフレームシーケンスの第１の部分を受信するための受信モジュール７８０と
を備える。
【００５５】
一般的には、各機能モジュール７５０〜７８０はハードウェアでまたはソフトウェアで実装され得る。好ましくは、１つまたは複数のあるいはすべての機能モジュール７５０〜７８０は、場合によっては機能ユニット７２０および／または７３０と協働して、少なくとも１つのプロセッサ７１０を含む処理回路によって実装され得る。処理回路は、したがって、機能モジュール７５０〜７８０によって与えられた命令をメモリ７２０からフェッチし、これらの命令を実行し、それによって本明細書で開示するようにアクセスノード１０のアクションを実行するように構成され得る。
【００５６】
代替的に、図７ｃにおけるモジュールを、主にハードウェアモジュールによって、または代替的にハードウェアによって、関連があるモジュール間の好適な相互接続で実現することが可能である。特定の例は、１つまたは複数の好適に設定されたプロセッサおよび他の知られている電子回路、たとえば、前述のように、専用機能を実行するように相互接続されたディスクリート論理ゲート、および／または特定用途向け集積回路（ＡＳＩＣ）を含む。使用可能なハードウェアの他の例は、入出力（Ｉ／Ｏ）回路、ならびに／あるいはデータおよび／または信号を受信および／または送信するための回路を含む。ソフトウェア対ハードウェアの範囲は純粋に実装選択である。
【００５７】
図８ａは、一実施形態による、機能ユニット、通信デバイス１１の構成要素に関して、コンピュータ実装の例を示す概略図である。少なくとも１つのプロセッサ８１０は、通信デバイス１１中に備えられたメモリ７２０中に記憶されたソフトウェア命令を実行することが可能な、好適な中央処理ユニット（ＣＰＵ）、マルチプロセッサ、マイクロコントローラ、デジタル信号プロセッサ（ＤＳＰ）などのうちの１つまたは複数の任意の組合せを使用して提供される。少なくとも１つのプロセッサ８１０はさらに、少なくとも１つの特定用途向け集積回路（ＡＳＩＣ）、またはフィールドプログラマブルゲートアレイ（ＦＰＧＡ）として提供され得る。
【００５８】
特に、少なくとも１つのプロセッサは、上記で開示したように、通信デバイス１１に動作またはアクションのセットＳ４１０〜４５０を実行させるように設定される。たとえば、メモリ８２０は動作８２５のセットを記憶し得、少なくとも１つのプロセッサ８１０は、通信デバイス１１に動作のセットを実行させるために、メモリ８２０から動作８２５のセットを取り出すように設定され得る。動作のセットは実行可能な命令のセットとして提供され得る。したがって、少なくとも１つのプロセッサ８１０は、それによって、本明細書で開示した方法を実行するように構成される。
【００５９】
メモリ８２０はまた、たとえば、磁気メモリ、光メモリ、固体メモリまたはさらにはリモート実装メモリの単一のものまたは組合せであり得る、永続ストレージ８２７を備え得る。
【００６０】
通信デバイス１１は、（たとえば図７ａにおけるような）アクセスノード１０との通信のための入出力デバイス８３０をさらに備え得る。したがって、入出力デバイス８３０は、アナログおよびデジタル構成要素と、無線通信のための好適な数のアンテナと、ワイヤライン通信のためのポートとを備える、１つまたは複数の送信機および受信機とを備え得る。
【００６１】
少なくとも１つのプロセッサ８１０は、たとえば、入出力デバイス８３０およびメモリ８２０にデータおよび制御信号を送ることによって、入出力デバイス８３０からデータおよび報告を受信することによって、およびメモリ８２０からデータおよび命令を取り出すことによって、通信デバイス１１の一般的な動作を制御する。通信デバイス１１の他の構成要素ならびに関係する機能は、本明細書で提示される概念を不明瞭にしないために省略される。
【００６２】
この特定の例では、本明細書で説明するステップ、機能、プロシージャ、モジュールおよび／またはブロックのうちの少なくともいくつかは、１つまたは複数のプロセッサ８１０を含む処理回路による実行のためにメモリ８２０中にロードされるコンピュータプログラム８３７中に実装される。メモリ８２０は、コンピュータプログラム８３７を、収容するまたは記憶するなど、備え得る。プロセッサ８１０およびメモリ８２０は、正常なソフトウェア実行を可能にするために互いに相互接続される。入出力デバイス８３０はまた、データおよび／または信号の入力および／または出力を可能にするためにプロセッサ８１０および／またはメモリ８２０に相互接続される。
【００６３】
用語「プロセッサ」は、一般的な意味で、特定の処理、決定または計算タスクを実行するためにプログラムコードまたはコンピュータプログラム命令を実行することが可能なシステムまたはデバイスと解釈されるべきである。
【００６４】
処理回路は、上記で説明したステップ、機能、プロシージャおよび／またはブロックを実行するためにのみ専用である必要はなく、他のタスクをも実行し得る。
【００６５】
図８ｂは、コンピュータ可読記憶媒体８４５、特に不揮発性媒体を備えるコンピュータプログラム製品８４０の一例を示す。このコンピュータ可読記憶媒体８４５上に、コンピュータプログラム８４７が搬送または記憶され得る。コンピュータプログラム８４７は、少なくとも１つのプロセッサ８１０を含む処理回路と、入出力デバイス８３０およびメモリ８２０など、それに動作可能に結合されたエンティティおよびデバイスとに、本明細書で説明する実施形態による方法を実行させることができる。コンピュータプログラム８４７および／またはコンピュータプログラム製品８４０は、したがって、本明細書で開示したように通信デバイス１１のいかなるアクションをも実行するための手段を提供し得る。
【００６６】
図７ｂおよび図８ｂの例では、コンピュータプログラム製品７４０；８４０は、ＣＤ（コンパクトディスク）またはＤＶＤ（デジタルバーサタイルディスク）またはブルーレイディスクなど、光ディスクとして示されている。コンピュータプログラム製品７４０；８４０は、ランダムアクセスメモリ（ＲＡＭ）、読取り専用メモリ（ＲＯＭ）、消去可能プログラマブル読取り専用メモリ（ＥＰＲＯＭ）、または電気的消去可能プログラマブル読取り専用メモリ（ＥＥＰＲＯＭ）などのメモリとして、より詳細には、ＵＳＢ（ユニバーサルシリアルバス）メモリなどの外部メモリ中のデバイスの不揮発性記憶媒体またはコンパクトフラッシュメモリなどのフラッシュメモリとして実施され得る。したがって、コンピュータプログラム７４７；８４７は、本明細書では、示された光ディスク上のトラックとして概略的に示されているが、コンピュータプログラム７４７；８４７は、コンピュータプログラム製品７４０；８４０に好適である任意の方法で記憶され得る。コンピュータプログラムは、したがって、それの処理回路による実行のためにコンピュータまたは等価な処理デバイスの動作メモリ中にロードされ得る。
【００６７】
また、コンピュータプログラム７４７；８４７を備えるキャリアが提供され、キャリアは、電子信号、光信号、電磁信号、磁気信号、電気信号、無線信号、マイクロ波信号、またはコンピュータ可読記憶媒体のうちの１つである。
【００６８】
本明細書で提示される１つまたは複数のフロー図は、１つまたは複数のプロセッサによって実行されるとき、１つまたは複数のコンピュータフロー図と見なされ得る。対応する装置は機能モジュールのグループとして規定され得、プロセッサ８１０によって実行される各ステップは機能モジュールに対応する。この場合、機能モジュールは、プロセッサ８１０上で動作しているコンピュータプログラムとして実装される。
【００６９】
メモリ８２０中に常駐するコンピュータプログラムは、したがって、プロセッサ８１０によって実行されたとき、本明細書で説明するステップおよび／またはタスクの少なくとも一部を実行するように設定された適切な機能モジュールとして編成され得る。
【００７０】
図８ｃは、いくつかの機能モジュールに関して、通信デバイス１１の実施形態を示す概略図である。通信デバイス１１は、
アクセスノードから第１のフレームシーケンスを受信するように設定された受信モジュール８５０であって、第１のフレームシーケンスが、
第１の通信プロトコルに関連する第１のプリアンブルを備える第１の部分と、それに続く、
第１の通信プロトコルに関連する第１のポーリングフレームを備える第２の部分と、
第２の通信プロトコルに関連する、第２のプリアンブルとそれに続く第２のポーリングフレームとを備える第３の部分であって、前記第３の部分が周波数領域中で第２の部分と多重化される、第３の部分とを備える、受信モジュール８５０と、
第１のフレームシーケンスの第１の部分および第２の部分のうちの１つを復号するように設定された復号モジュール８６０と、
アクセスノードからタイミングインジケータを取得するように設定された取得モジュール８７０と、
タイミングインジケータに基づいて第２のフレームシーケンスの第１の部分の送信の時間を決定するように設定された決定モジュール８８０と、
決定された時間にアクセスノードに第２のフレームシーケンスの第１の部分を送信するように設定された送信モジュール８９０と
を備える。
【００７１】
一般的には、各機能モジュール８５０〜８９０はハードウェアでまたはソフトウェアで実装され得る。好ましくは、１つまたは複数のあるいはすべての機能モジュール８５０〜８９０は、場合によっては機能ユニット８２０および／または８３０と協働して、少なくとも１つのプロセッサ８１０を含む処理回路によって実装され得る。処理回路は、したがって、機能モジュール８５０〜８９０によって与えられた命令をメモリ８２０からフェッチし、これらの命令を実行し、それによって本明細書で開示するように通信デバイス１１のアクションを実行するように構成され得る。
【００７２】
代替的に、図８ｃにおけるモジュールを、主にハードウェアモジュールによって、または代替的にハードウェアによって、関連があるモジュール間の好適な相互接続で実現することが可能である。特定の例は、１つまたは複数の好適に設定されたプロセッサおよび他の知られている電子回路、たとえば、前述のように、専用機能を実行するように相互接続されたディスクリート論理ゲート、および／または特定用途向け集積回路（ＡＳＩＣ）を含む。使用可能なハードウェアの他の例は、入出力（Ｉ／Ｏ）回路、ならびに／あるいはデータおよび／または信号を受信および／または送信するための回路を含む。ソフトウェア対ハードウェアの範囲は純粋に実装選択である。
【００７３】
以下で、本明細書で提示される技術のいくつかの実施形態を例示する。開発されている８０２．１１ａｘ規格において、高効率（ＨＥ）物理プロトコルデータユニット（ＰＰＤＵ）は、レガシーデバイスとの後方互換性のために、各２０ＭＨｚ上に複製されたレガシープリアンブル（Ｌ−ＳＴＦ、Ｌ−ＬＴＦおよびＬ−ＳＩＧ）を含むものとすることが承認されている。８０２．１１ａｘデータ送信は、レガシープリアンブル送信と、それに続く８０２．１１ａｘプリアンブル（ＨＥ−ＳＩＧ−Ａ、ＨＥ−ＳＴＦ、ＨＥ−ＬＴＦ）と、データフィールド（ＨＥデータ）とからなる。本明細書のいくつかの実施形態によれば、８０２．１１ａｘなどのプロトコルは、狭帯域動作を可能にすること、またモノのインターネット（ＩｏＴ）使用事例をサポートするためのより多くの省電力化機能を含むことによって、さらに開発され得る。そのような高度プロトコルは、本明細書では狭帯域ＷｉＦｉ（ＮＢ−ＷｉＦｉ）と規定される。上述のＬＲＬＰ  ＷｉＦｉは、２．４ＧＨｚ帯域内で動作することによって、信頼できる、一貫した、安定したアクセスのために、マスマーケットＷＬＡＮインフラストラクチャを活用するように意図された。ＮＢ−ＷｉＦｉ  ＳＴＡ（ＮＢ−ＷｉＦｉステーション）は、より短いチャネル帯域幅、たとえば２ＭＨｚにおいて動作し得、したがって、レガシー２０ＭＨｚ信号を復号することが可能ではない。レガシー８０２．１１ＳＴＡ（たとえば８０２．１１ａｘ、８０２．１１ｎなど）は、より広いチャネル帯域幅、２０ＭＨｚにおいて動作し、それによって、ＮＢ−ＷｉＦｉ  ＳＴＡ送信を復号することが不可能であることに留意することが重要である。また、ＮＢ−ＷｉＦｉアクセスポイント（ＡＰ）は、より短いチャネル帯域幅とより広いチャネル帯域幅の両方において好適に動作する、すなわち２０ＭＨｚと２ＭＨｚの両方において送信／受信する。さらに、提示される技術によれば、ＮＢ−ＷｉＦｉ  ＡＰは、クリアチャネルアセスメント（ＣＣＡ）およびレガシーネットワークアクセスを実行し、レガシープリアンブルを使用してダウンリンク狭帯域送信を保護し、レガシープリアンブルを使用してアップリンク狭帯域送信を保護し、ＮＢ−ＷｉＦｉ  ＳＴＡからアップリンクをトリガし得る。この場合、ＮＢ−ＷｉＦｉ  ＡＰ送信は、したがって、レガシープリアンブルと、ＮＢ−ＷｉＦｉプリアンブルと、マルチユーザダウンリンク／アップリンク送信とからなる。提案されるＮＢ−ＷｉＦｉ  ＡＰは、ＮＢ−ＷｉＦｉ使用のために割り振られたチャネル帯域幅の一部と８０２．１１ａｘ  ＳＴＡのための残りとを使用して、アップリンクとダウンリンクの両方においてＮＢ−ＷｉＦｉと８０２．１１ａｘ  ＳＴＡの両方を一緒にサーブし得る。
【００７４】
また、ＮＢ−ＷｉＦｉの場合の「レガシー」プロトコルは、８０２．１１ｎ／ａｃ／ｂとともに８０２．１１ａｘをも含むことに注目すべきである。
【００７５】
８０２．１１ａｘとＮＢ−ＷｉＦｉ  ＳＴＡとの間でアップリンク送信をスケジュールする場合、デュアルモードＡＰは、それぞれのリソースブロック上で８０２．１１ａｘおよびＮＢ−ＷｉＦｉ  ＳＴＡをスケジュールするための対応するアップリンクマッピングとともに、レガシー（８０２．１１ａｘ／ｎ／ａｃ／ｂ）プリアンブルとＮＢ−ＷｉＦｉプリアンブルとを有する、ポーリングフレーム、たとえば、トリガフレーム（ＴＦ）を送信し得る。これの後には、それらのそれぞれの割り振られたリソースブロック上の８０２．１１ａｘおよびＮＢ−ＷｉＦｉ  ＳＴＡによる対応するアップリンク送信が続く。
【００７６】
例示的なフレームシーケンスにおいて、８０２．１１ａｘおよびＮＢ−ＷｉＦｉ送信は時間と周波数とにおいて多重化される。そのようなフレームシーケンスにおいて、ＡＰは、多重化された８０２．１１ａｘおよびＮＢ−ＷｉＦｉアップリンク（ＵＬ）送信をスケジュールするために、ダウンリンク（ＤＬ）トリガを送信する。次に、この例について、図５の一般フレームシーケンス５００および５５０に関して説明する。この例におけるフレームシーケンスは、８０２．１１ａｘプリアンブル５１０ａを備える第１の部分５１０で開始する。このプリアンブルの後には、それぞれ８０２．１１ａｘ送信およびＮＢ−ＷｉＦｉ送信を備える、周波数において多重化される、８０２．１１ａｘの第２の部分５１５および第３の部分５２０が続く。第２の部分５１５は、８０２．１１ａｘポーリングフレーム５１５ａと、場合によってはＤＬデータを備え、第３の部分５２０は、ＮＢ−ＷｉＦｉプリアンブル５２０ａとＮＢ−ＷｉＦｉポーリングフレーム５２０ｂとを備える。８０２．１１ａｘ送信が、ＮＢ−ＷｉＦｉ送信よりもはるかに大きい帯域幅を占有するとき、８０２．１１ａｘ送信の持続時間はＮＢ−ＷｉＦｉ送信よりもはるかに短くなり得る。８０２．１１ａｘおよびＮＢ−ＷｉＦｉ  ＤＬ送信は、アップリンク送信が時間において同期させられ得るように同時に終了しなければならず、したがって、８０２．１１ａｘ送信はパディングによって延長され得る。パディングは、しかしながら、帯域幅の非効率的な使用であり、パディングビットの送信はさらに、他の同時送信に対して干渉を生じ得る。したがって、ＡＰが、ＳＴＡからのＵＬ送信の受信の時間（たとえば、ｔａｄｊ）を制御することを可能にする、タイミングインジケータを導入することが提案される。ＵＬフレームシーケンス５５０は第１の部分５６０で開始し、第１の部分５６０は、８０２．１１ａｘ  ＳＴＡによって送信された８０２．１１ａｘプリアンブル５６０ａと、それに続く、たとえば、ＮＢ−ＷｉＦｉプリアンブルおよびペイロード（すなわち、データ）を備えるＮＢ−ＷｉＦｉ送信を備える第２の部分５７０と、８０２．１１ａｘ  ＵＬペイロードを備える第３の部分５６５とを備え得、第２および第３の部分は周波数において多重化される。１つまたは複数のさらなる部分５８０はまた、たとえば８０２．１１ａｘ送信データを備えるＵＬフレームシーケンス中に備えられ得、それらの部分はまた第２および第３の部分と周波数において多重化される。
【００７７】
８０２．１１ａｘおよびＮＢ−ＷｉＦｉ  ＳＴＡ、またはデバイスからのＵＬ送信はまた、同時に開始され得る。この場合、８０２．１１ａｘプリアンブルとＮＢ−ＷｉＦｉ送信とは重なることになり、互いに干渉し得る。ＡＰは、干渉の存在下で信号をうまく復号することが可能でなければならない。
【００７８】
８０２．１１ａｘおよびＮＢ−ＷｉＦｉ送信の多重化は無線リソース効率を改善することができる。多重化において、８０２．１１ａｘ送信において同数のビットを送信するために必要とされる時間は、以下の理由によりＮＢ−ＷｉＦｉ送信よりもはるかに短くなり得る。
・８０２．１１ａｘ送信は、通常、ＮＢ−ＷｉＦｉ送信よりも多くの帯域幅を受信する。
・ＮＢ−ＷｉＦｉ送信は、より低い変調符号化方式（ＭＣＳ）が使用されなければならないように、より長い範囲を有し得る。
・ＮＢ−ＷｉＦｉプリアンブルは８０２．１１ａｘプリアンブルの後に送信されなければならない。
【００７９】
上記に記載した条件は、各多重化送信において常に満たされるとは限らないが、統計上、そのようなシナリオは高い見込みで起こる。
【００８０】
タイミングインジケータは、たとえば、８０２．１１ａｘ  ＭＡＣヘッダ中で、あるいは制御または管理フレームのペイロード中で、ＤＬ送信とともに送信され得る。タイミングインジケータを受信するとき、ＳＴＡは、送信の時間を決定する、すなわち、ＵＬ送信を開始する前にタイミングインジケータに基づく持続時間を待つ。
【００８１】
多重化された８０２．１１ａｘおよびＮＢ−ＷｉＦｉ送信のフレームシーケンスは、したがって、明記されたＩＦＳの結果としてパディングが必要とされることなしに達成され得、それによってパディングビットによって無線環境にもたらされる干渉が回避される。
【００８２】
別の例では、ＤＬフレームシーケンス中に８０２．１１ａｘ送信を備える第２の部分が、ＮＢ−ＷｉＦｉ送信を備える第３の部分よりも長い場合、状況は反転する。
【００８３】
本方法のいくつかの実施形態では、ＡＰは、タイミングインジケータによって、各ＤＬ送信中のフレーム間スペース（ＩＦＳ）、すなわちＤＬ送信とＵＬ送信との間の時間空間、たとえば、図５におけるΔｔａｄｊを示す。タイミングインジケータは、その場合、明示的ＩＦＳ情報を伝達するように規定され得る。タイミングインジケータは、たとえば、いくつかの事前インデックス付けされた持続時間のうちの１つを示すための持続時間またはインデックス値であり得る。
【００８４】
いくつかの実施形態では、タイミングインジケータの値は後続の送信において変化していない。その場合、ＡＰがこれらの送信のためにタイミングインジケータを提供する必要がないことがある。代わりに、通信デバイス、たとえば８０２．１１ａｘまたはＮＢ−ＷｉＦｉ  ＳＴＡは、タイミングインジケータが不変であると決定し、前のタイミングインジケータに基づいて送信の時間を決定し得る。ＡＰは、この場合も、それが変化したとき、タイミングインジケータを提供し得る。
【００８５】
ＡＰは、１つまたは複数のＳＴＡがそれらのアップリンク送信を開始する前に待つように１つまたは複数のＳＴＡに示し得る。
【００８６】
ＡＰは、たとえばＭＡＣヘッダ中であるいは制御フレームまたは管理フレームのペイロード中で、ポーリングフレームを使用して、ＳＴＡの１つのタイプについてどのくらいの時間待つべきかを示し得る。
【００８７】
８０２．１１ａｘダウンリンク送信がＮＢ−ＷｉＦｉ送信よりも長い場合、ＡＰは、８０２．１１ａｘ  ＳＴＡがそれらのアップリンク送信を開始する前に待つように８０２．１１ａｘ  ＳＴＡに示し得る。
【００８８】
ＮＢ−ＷｉＦｉダウンリンク送信が８０２．１１ａｘ送信よりも長い場合、ＡＰは、ＮＢ−ＷｉＦｉ  ＳＴＡがそれらのアップリンク送信を開始する前に待つようにＮＢ−ＷｉＦｉ  ＳＴＡに示し得る。
【００８９】
上記の説明および添付の図面は、本明細書で教示する方法および装置の非限定的な例を表すことが諒解されよう。したがって、本明細書で教示する装置および技法は上記の説明および添付の図面によって限定されない。代わりに、本明細書の実施形態は以下の特許請求の範囲およびそれらの法的等価物によってのみ限定される。
【図１】
0006891302.tif 000002
【図２】
0006891302.tif 000003
【図３】
0006891302.tif 000004
【図４】
0006891302.tif 000005
【図５】
0006891302.tif 000006
【図６】
0006891302.tif 000007
【図７ａ】
0006891302.tif 000008
【図７ｂ】
0006891302.tif 000009
【図７ｃ】
0006891302.tif 000010
【図８ａ】
0006891302.tif 000011
【図８ｂ】
0006891302.tif 000012
【図８ｃ】
0006891302.tif 000013